(57)【要約】  本発明の実施例では情報インタラクション方法、基地局及び通信システムが提供される。情報インタラクション方法は、第一基地局が、第二基地局に、第二セルが構成されており且つ第一セルのカバレッジが間もなく縮小されることを通知し；及び、第二基地局が送信した、ユーザ装置を第一セルにハンドオーバーするためのハンドオーバー要求を受信することを含む。前記ハンドオーバー要求は少なくとも前記第二セルの情報を有する再確立セルの情報を含む。本発明の実施例により、ハンドオーバー失敗後に再確立失敗を引き起こすことがないのみならず、シグナリングのオーバーヘッドを節約することもできる。
2016527820.tif 000002
【特許請求の範囲】
【請求項１】
第一セルを分割して少なくとも一つの第二セルを構成する第一基地局に用いられる情報インタラクション方法であって、
前記第一基地局は、前記第二セルが構成されており且つ前記第一セルのカバレッジが間もなく縮小されることを第二基地局に通知し；及び
前記第一基地局は、前記第二基地局が送信した、ユーザ装置を前記第一セルにハンドオーバーするためのハンドオーバー要求を受信することを含み、
前記ハンドオーバー要求は、少なくとも前記第二セルの情報を有する再確立セルの情報を含む、方法。
【請求項２】
請求項1に記載の方法であって、
前記第一基地局は、ServedCellsToAdd情報エレメントにより、前記第二セルが構成されていることを指示し、ServedCellsToAdd中のServedCellInformation情報エレメントにより、前記第一セルのカバレッジが間もなく縮小されることを指示し、また、AdditionalReestabInfo情報エレメントにより、前記再確立セルの情報を含める、方法。
【請求項３】
請求項1に記載の方法であって、
前記ハンドオーバー要求は、AS-Context情報エレメントを含むHandoverPreparationInformation情報を含み、前記AS-Context情報エレメントは、ReestablishmentInfo情報エレメントを含み、前記ReestablishmentInfo情報エレメントは、AdditionalReestabInfo情報エレメントを含み、前記AdditionalReestabInfo情報エレメントは、少なくとも前記第二セルの情報を有する前記再確立セルの情報を含む、方法。
【請求項４】
請求項1に記載の方法であって、更に、
前記第一基地局は、前記第二基地局に、前記第一セルのカバレッジの縮小が既に完成されていることを通知することを含む、方法。
【請求項５】
第二基地局に用いられる情報インタラクション方法であって、
前記第二基地局に隣接する第一基地局は、第一セルを分割して少なくとも一つの第二セルを構成し、前記情報インタラクション方法は、
前記第二基地局は、前記第一基地局が送信した、前記第二セルが構成されており且つ前記第一セルのカバレッジが間もなく縮小されることを通知するためのメッセージを受信し；
前記第二基地局の下でのユーザ装置が前記第一セルにハンドオーバーする必要がある時に、前記第二基地局は前記ユーザ装置のために再確立セルの情報を準備し；及び
前記第一基地局に、前記ユーザ装置を前記第一セルにハンドオーバーするためのハンドオーバー要求を送信することを含み、
前記ハンドオーバー要求は、少なくとも前記第二セルの情報を有する前記再確立セルの情報を含む、方法。
【請求項６】
請求項5に記載の方法であって、更に、
前記第二基地局は、前記第一基地局が送信した、前記第一セルのカバレッジの縮小が既に完成されていることを通知するためのメッセージを受信することを含む、方法。
【請求項７】
少なくとも一つの第二セルを第一セルと併合する第一基地局に用いられる情報インタラクション方法であって、
前記第一基地局は、第二基地局に、前記第二セルが間もなくクローズされることを通知し；及び
前記第一基地局は、前記第二基地局が送信した、ユーザ装置を前記第二セルにハンドオーバーするためのハンドオーバー要求を受信することを含み、
前記ハンドオーバー要求は、少なくとも前記第一セルの情報を有する再確立セルの情報を含む、方法。
【請求項８】
請求項7に記載の方法であって、
前記第一セルのカバレッジが拡大された後に、前記第一基地局は、第二基地局に、前記第二セルが間もなくクローズされることを通知する、方法。
【請求項９】
請求項7に記載の方法であって、
前記第一基地局は、ServedCellsToAdd中のServedCellInformation情報エレメントにより、前記第二セルが間もなくクローズされることを指示し、また、AdditionalReestabInfo情報エレメントにより、前記再確立セルの情報を含める、方法。
【請求項１０】
請求項7に記載の方法であって、
前記ハンドオーバー要求は、AS-Context情報エレメントを含むHandoverPreparationInformation情報を含み、前記AS-Context情報エレメントは、ReestablishmentInfo情報エレメントを含み、前記ReestablishmentInfo情報エレメントは、AdditionalReestabInfo情報エレメントを含み、前記AdditionalReestabInfo情報エレメントは、少なくとも前記第一セルの情報を有する前記再確立セルの情報を含む、方法。
【請求項１１】
請求項7に記載の方法であって、更に、
前記第一基地局は、前記第二基地局に、前記第二セルが既にクローズされていることを通知することを含む、方法。
【請求項１２】
第二基地局に用いられる情報インタラクション方法であって、
前記第二基地局に隣接する第一基地局は、少なくとも一つの第二セルを第一セルと併合し、前記情報インタラクション方法は、
前記第二基地局は、前記第一基地局が送信した、前記第二セルが間もなくクローズされることを通知するためのメッセージを受信し；
前記第二基地局の下でのユーザ装置が前記第二セルにハンドオーバーする必要がある時に、前記第二基地局は前記ユーザ装置のために再確立セルの情報を準備し；及び
前記第一基地局に、前記ユーザ装置を前記第二セルにハンドオーバーするためのハンドオーバー要求を送信することを含み、
前記ハンドオーバー要求は、少なくとも前記第一セルの情報を有する再確立セルの情報を含む、方法。
【請求項１３】
請求項12に記載の方法であって、更に、
前記第二基地局は、前記第一基地局が送信した、前記第二セルが既にクローズされていることを通知するためのメッセージを受信することを含む、方法。
【請求項１４】
第一セルを分割して少なくとも一つの第二セルを構成する基地局であって、
第二基地局に、前記第二セルが構成されており且つ前記第一セルのカバレッジが間もなく縮小されることを通知するためのメッセージ通知ユニット；及び
前記第二基地局が送信した、ユーザ装置を前記第一セルにハンドオーバーするためのハンドオーバー要求を受信するための要求受信ユニットを含み、
前記ハンドオーバー要求は、少なくとも前記第二セルの情報を有する再確立セルの情報を含む、基地局。
【請求項１５】
請求項14に記載の基地局であって、
前記メッセージ通知ユニットは更に、前記第二基地局に、前記第一セルのカバレッジの縮小が既に完成されていることを通知するために用いられる、基地局。
【請求項１６】
隣接する第一基地局が第一セルを分割して少なくとも一つの第二セルを構成する基地局であって、
前記第一基地局が送信した、前記第二セルが構成されており且つ前記第一セルのカバレッジが間もなく縮小されることを通知するためのメッセージを受信するための通知受信ユニット；
前記基地局の下でのユーザ装置が前記第一セルにハンドオーバーする必要がある時に、前記ユーザ装置のために再確立セルの情報を準備するための再確立準備ユニット；及び
前記第一基地局に、ユーザ装置を前記第一セルにハンドオーバーするためのハンドオーバー要求を送信するための要求送信ユニットを含み、
前記ハンドオーバー要求は、少なくとも前記第二セルの情報を有する再確立セルの情報を含む、基地局。
【請求項１７】
請求項16に記載の基地局であって、
前記通知受信ユニットは更に、前記第一基地局が送信した、前記第一セルのカバレッジの縮小が既に完成されていることを通信するためのメッセージを受信するために用いられる、基地局。
【請求項１８】
少なくとも一つの第二セルを第一セルと併合する基地局であって、
第二基地局に、前記第二セルが間もなくクローズされることを通知するためのメッセージ通知ユニット；及び
前記第二基地局が送信した、ユーザ装置を前記第二セルにハンドオーバーするためのハンドオーバー要求を受信するための要求受信ユニットを含み、
前記ハンドオーバー要求は、少なくとも前記第一セルの情報を有する再確立セルの情報を含む、基地局。
【請求項１９】
請求項18に記載の基地局であって、
前記メッセージ通知ユニットは、前記第一セルのカバレッジが拡大された後に、前記第二基地局に、前記第二セルが間もなくクローズされることを通知する、基地局。
【請求項２０】
請求項18に記載の基地局であって、
前記メッセージ通知ユニットは更に、前記第二基地局に、前記第二セルが既にクローズされていることを通知するために用いられる、基地局。
【請求項２１】
隣接する第一基地局が少なくとも一つの第二セルを第一セルと併合する基地局であって、
前記第一基地局が送信した、前記第二セルが間もなくクローズされることを通知するためのメッセージを受信するための通知受信ユニット；
前記基地局の下でのユーザ装置が前記第二セルにハンドオーバーする必要がある時に、前記ユーザ装置のために再確立セルの情報を準備するための再確立準備ユニット；及び
前記第一基地局に、前記ユーザ装置を前記第二セルにハンドオーバーするためのハンドオーバー要求を送信するための要求送信ユニットを含み、
前記ハンドオーバー要求は、少なくとも前記第一セルの情報を有する再確立セルの情報を含む、基地局。
【請求項２２】
請求項21に記載の基地局であって、
前記通知受信ユニットは更に、前記第一基地局が送信した、前記第二セルが既にクローズされていることを通知するためのメッセージを受信するために用いられる、基地局。
【請求項２３】
通信システムであって、
第一セルを分割して少なくとも一つの第二セルを構成する第一基地局であって、前記第一基地局は、第二基地局に、前記第二セルが構成されており且つ前記第一セルのカバレッジが間もなく縮小されることを通知し、前記第二基地局が送信した、ユーザ装置を前記第一セルにハンドオーバーするためのハンドオーバー要求を受信し、また、前記ハンドオーバー要求は、少なくとも前記第二セルの情報を有する再確立セルの情報を含む、第一基地局；及び
前記第一基地局に隣接する第二基地局であって、前記第二基地局は、前記第一基地局が送信した、前記第二セルが構成されており且つ前記第一セルのカバレッジが間もなく縮小されることを通知するためのメッセージを受信し、前記第二基地局の下でのユーザ装置が前記第一セルにハンドオーバーする必要がある時に、前記ユーザ装置のために再確立セルの情報を準備し、前記第一基地局に、前記ユーザ装置を前記第一セルにハンドオーバーするためのハンドオーバー要求を送信し、また、前記ハンドオーバー要求は、少なくとも前記第二セルの情報を有する再確立セルの情報を含む、第二基地局を含む、通信システム。
【請求項２４】
通信システムであって、
少なくとも一つの第二セルを第一セルと併合する第一基地局であって、前記第一基地局は、第二基地局に、前記第二セルが間もなくクローズされることを通知し、前記第二基地局が送信した、ユーザ装置を前記第二セルにハンドオーバーするためのハンドオーバー要求を受信し、また、前記ハンドオーバー要求は、少なくとも前記第一セルの情報を有する再確立セルの情報を含む、第一基地局；及び
前記第一基地局に隣接する第二基地局であって、前記第二基地局は、前記第一基地局が送信した、前記第二セルが間もなくクローズされることを通知するためのメッセージを受信し、前記第二基地局の下でのユーザ装置が前記第二セルにハンドオーバーする必要がある時に、前記ユーザ装置のために再確立セルの情報を準備し、前記第一基地局に、前記ユーザ装置を前記第二セルにハンドオーバーするためのハンドオーバー要求を送信し、また、前記ハンドオーバー要求は、少なくとも前記第一セルの情報を有する再確立セルの情報を含む、第二基地局を含む、通信システム。
【請求項２５】
コンピュータ可読プログラムであって、
基地局中で前記プログラムを実行する時に、前記プログラムは、コンピュータに、前記基地局中で請求項1〜13の任意の１項に記載の情報インタラクション方法を実行させるための、プログラム。
【請求項２６】
コンピュータ可読プログラムを記憶した記憶媒体であって、
前記コンピュータ可読プログラムは、コンピュータに、基地局中で請求項1〜13の任意に１項に記載の情報インタラクション方法を実行させる、記憶媒体。
【発明の詳細な説明】
【技術分野】
【０００１】
本発明は通信分野に関し、特に、セルの分割（Cell  Splitting）又はセルの併合（Cell  Merging）過程中の情報インタラクション方法、基地局及び通信システムに関する。
【背景技術】
【０００２】
今のところ、3GPP  Rel  12では、アクティブ・アンテナ・システム（AAS、Active  Antenna  System）が考慮される見込みがある。AASを構成する基地局は、アンテナ組のパラメータをアクティブに調整することで、セルのカバレッジをアクティブに変化させてサービスのニーズを満足することができる。
【０００３】
セルの分割（Cell  Splitting）は、AASがシステムの容量を向上させる目的を達成する手段の一つである。3GPPでは、考慮されるセルの分割とは、分割後のセルが異なる物理セルアイデンティティ（PCI、Physical  Cell  Identity）を採用することを指し、分割の時間粒度が比較的に大きく、例えば、一時間に一回変化し、又は、より長い時間に一回変化する。
【０００４】
一方、それに対応するのはセルの併合（Cell  Merging）である。セルの分割又はセルの併合は、運用・管理・保守（OAM、Operation  Administration  and  Maintenance）又はeNBによりトリガーすることができる。セルの分割又はセルの併合により、セルを柔軟に構成することで、複数種類のシナリオの下での異なるニーズを満足することができる。
【０００５】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【０００６】
しかし、発明者は、従来技術ではセルの分割又はセルの併合の過程で、隣接セルのユーザ装置が分割又は併合中のセルにハンドオーバーすることが出現した場合、セルの出現又は消失によってハンドオーバーが失敗し、その後の再確立は成功できないことがあるということを発見した。
【０００７】
本発明の実施例は、情報インタラクション方法、基地局及び通信システムを提供する。目的は、セルの分割又はセルの併合の過程で、ユーザ装置のハンドオーバーが失敗した後に再確立失敗を引き起こさないようにさせることにある。
【課題を解決するための手段】
【０００８】
本発明の実施例の一側面によれば、情報インタラクション方法が提供され、第一セルから少なくとも一つの第二セルを分割により構成する第一基地局に用いられ、前記情報インタラクション方法は、
前記第一基地局が、第二基地局に、前記第二セルが構成されており且つ前記第一セルのカバレッジが間もなく縮小されることを通知し；及び
前記第一基地局が、前記第二基地局の送信した、ユーザ装置を前記第一セルにハンドオーバーするためのハンドオーバー要求を受信することを含み、
前記ハンドオーバー要求は、少なくとも前記第二セルの情報を有する再確立セルの情報を含む。
【０００９】
本発明の実施例の他の側面によれば、情報インタラクション方法が提供され、第二基地局に用いられ、そのうち、前記第二基地局に隣接する第一基地局は第一セルから少なくとも一つの第二セルを分割により構成し、前記情報インタラクション方法は、
前記第二基地局が、前記第一基地局の送信した、前記第二セルが構成されており且つ前記第一セルのカバレッジが間もなく縮小されることを通知するためのメッセージを受信し；
前記第二基地局の下でのユーザ装置が前記第一セルにハンドオーバーする必要がある時に、前記第二基地局が前記ユーザ装置のために再確立セルの情報を準備し；及び
前記第一基地局に、前記ユーザ装置を前記第一セルにハンドオーバーするためのハンドオーバー要求を送信することを含み、
前記ハンドオーバー要求は、少なくとも前記第二セルの情報を有する再確立セルの情報を含む。
【００１０】
本発明の実施例の他の側面によれば、情報インタラクション方法が提供され、少なくとも一つの第二セルを第一セルと併合する第一基地局に用いられ、前記情報インタラクション方法は、
前記第一基地局が、第二基地局に、前記第二セルが間もなくクローズされることを通知し；及び
前記第一基地局が、前記第二基地局の送信した、ユーザ装置を前記第二セルにハンドオーバーするためのハンドオーバー要求を受信することを含み、
前記ハンドオーバー要求は、少なくとも前記第一セルの情報を有する再確立セルの情報を含む。
【００１１】
本発明の実施例の他の側面によれば、情報インタラクション方法が提供され、第二基地局に用いられ、そのうち、前記第二基地局に隣接する第一基地局は少なくとも一つの第二セルを第一セルと併合し、前記情報インタラクション方法は、
前記第二基地局が、第一基地局の送信した、前記第二セルが間もなくクローズされることを通知するためのメッセージを受信し；
前記第二基地局の下でのユーザ装置が前記第二セルにハンドオーバーする必要がある時に、前記第二基地局が前記ユーザ装置のために再確立セルの情報を準備し；及び
前記第一基地局に、ユーザ装置を前記第二セルにハンドオーバーするためのハンドオーバー要求を送信することを含み、
前記ハンドオーバー要求は、少なくとも前記第一セルの情報を有する再確立セルの情報を含む。
【００１２】
本発明の実施例の他の側面によれば、基地局が提供され、第一セルから少なくとも一つの第二セルを分割により構成し、前記基地局は、
第二基地局に、前記第二セルが構成されており且つ前記第一セルのカバレッジが間もなく縮小されることを通知するためのメッセージ通知ユニット；及び
前記第二基地局の送信した、ユーザ装置を前記第一セルにハンドオーバーするためのハンドオーバー要求を受信するための要求受信ユニットを含み、
前記ハンドオーバーは、少なくとも前記第二セルの情報を有する再確立セルの情報を含む。
【００１３】
本発明の実施例の他の側面によれば、基地局が提供され、そのうち、隣接する第一基地局が第一セルから少なくとも一つの第二セルを分割により構成し、前記基地局は、
前記第一基地局の送信した、前記第二セルが構成されており且つ前記第一セルのカバレッジが間もなく縮小されることを通知するためのメッセージを受信するための通知受信ユニット；
前記基地局の下でのユーザ装置が前記第一セルにハンドオーバーする必要がある時に、前記ユーザ装置のために再確立セルの情報を準備するための再確立準備ユニット；及び
前記第一基地局に、ユーザ装置を前記第一セルにハンドオーバーするためのハンドオーバー要求を送信するための要求送信ユニットを含み、
前記ハンドオーバー要求は、少なくとも前記第二セルの情報を有する再確立セルの情報を含む。
【００１４】
本発明の実施例の他の側面によれば、基地局が提供され、少なくとも一つの第二セルを第一セルと併合し、前記基地局は、
第二基地局に、前記第二セルが間もなくクローズされることを通知するためのメッセージ通知ユニット；及び
前記第二基地局が送信した、前記ユーザ装置を前記第二セルにハンドオーバーするためのハンドオーバー要求を受信するための要求受信ユニットを含み、
前記ハンドオーバー要求は、少なくとも前記第一セルの情報を有する再確立セルの情報を含む。
【００１５】
本発明の実施例の他の側面によれば、基地局が提供され、そのうち、隣接する第一基地局は、少なくとも一つの第二セルを第一セルと併合し、前記基地局は、
第一基地局が送信した、前記第二セルが間もなくクローズされることを通知するためのメッセージを受信するための通知受信ユニット；
前記基地局の下でのユーザ装置が前記第二セルにハンドオーバーする必要がある時に、前記ユーザ装置のために再確立セルの情報を準備するための再確立準備ユニット；及び
前記第一基地局に、ユーザ装置を前記第二セルにハンドオーバーするためのハンドオーバー要求を送信するための要求送信ユニットを含み、
前記ハンドオーバー要求は、少なくとも前記第一セルの情報を有する再確立セルの情報を含む。
【００１６】
本発明の実施例の他の側面によれば、通信システムが提供され、前記通信システムは、
第一セルから少なくとも一つの第二セルを分割により構成する第一基地局であって、前記第一基地局は、第二基地局に、前記第二セルが構成されており且つ前記第一セルのカバレッジが間もなく縮小されることを通知し、前記第二基地局が送信した、ユーザ装置を前記第一セルにハンドオーバーするためのハンドオーバー要求を受信し、また、前記ハンドオーバー要求は、少なくとも前記第二セルの情報を有する再確立セルの情報を含む、第一基地局；及び
記第一基地局に隣接する第二基地局であって、前記第二基地局は、前記第一基地局が送信した、前記第二セルが構成されており且つ前記第一セルのカバレッジが間もなく縮小されることを通知するためのメッセージを受信し、前記第二基地局の下でのユーザ装置が前記第一セルにハンドオーバーする必要がある時に、前記ユーザ装置のために再確立セルの情報を準備し、前記第一基地局に、前記ユーザ装置を前記第一セルにハンドオーバーするためのハンドオーバー要求を送信し、また、前記ハンドオーバー要求は、少なくとも前記第二セルの情報を有する再確立セルの情報を含む、第二基地局を含む。
【００１７】
本発明の実施例の他の側面によれば、通信システムが提供され、前記通信システムは、
少なくとも一つの第二セルを第一セルと併合する第一基地局であって、前記第一基地局は、第二基地局に、前記第二セルが間もなくクローズされることを通知し、前記第二基地局が送信した、前記ユーザ装置を前記第二セルにハンドオーバーするためのハンドオーバー要求を受信し、また、前記ハンドオーバー要求は、少なくとも前記第一セルの情報を有する再確立セルの情報を含む、第一基地局；及び
前記第一基地局に隣接する第二基地局であって、前記第二基地局は、前記第一基地局が送信した、前記第二セルが間もなくクローズされることを通知するためのメッセージを受信し、前記第二基地局の下でのユーザ装置が前記第二セルにハンドオーバーする必要がある時に、前記ユーザ装置のために再確立セルの情報を準備し、前記第一基地局に、前記ユーザ装置を前記第二セルにハンドオーバーするためのハンドオーバー要求を送信し、また、前記ハンドオーバー要求は、少なくとも前記第一セルの情報を有する再確立セルの情報を含む、第二基地局を含む。
【００１８】
本発明の実施例の他の側面によれば、コンピュータ可読プログラムが提供され、そのうち、基地局中で前記プログラムを実行する時に、前記プログラムは、コンピュータに、前記基地局中で上述のような情報インタラクション方法を実行させる。
【００１９】
本発明の実施例の他の側面によれば、コンピュータ可読プログラムを記憶した記憶媒体が提供され、そのうち、前記コンピュータ可読プログラムは、コンピュータに、基地局中で上述のような情報インタラクション方法を実行させる。
【００２０】
本発明の実施例の有益な効果は、基地局が隣接基地局に、分割されているセルのカバレッジが間もなく縮小されること又は併合されているセルが間もなくクローズされることを通知し；隣接基地局の下でのユーザ装置が分割されているセル又は併合されているセルにハンドオーバーする必要がある時に、該ユーザ装置のために、少なくとも分割により構成されているセルの情報又は併合により構成されているセルの情報を含む再確立セルの情報を準備することができる。これによって、ハンドオーバー失敗後に再確立失敗を引き起こすことが無いだけではなく、シグナリングのオーバーヘッドを節約することもできる。
【００２１】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００２２】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２３】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００２４】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００２５】
また、本発明の１つの図面又は実施方式に記載の要素及び特徴は、１つ又は複数の他の図面又は実施方式に示す要素及び特徴と組み合わせることができる。さらに、図面では、類似する符号は幾つかの図面中の対応する要素を示し、また、複数の実施方式に使用される対応する要素を示すために用いることができる。
【図１】セルの分割を示す図である。
【図２】セルの併合を示す図である。
【図３】本発明の実施例1による情報インタラクション方法のフローチャートである。
【図４】本発明の実施例1による情報インタラクション方法の他のフローチャートである。
【図５】本発明の実施例2による情報インタラクション方法を示す図である。
【図６】本発明の実施例3による情報インタラクション方法のフローチャートである。
【図７】本発明の実施例3による情報インタラクション方法の他のフローチャートである。
【図８】本発明の実施例4による情報インタラクション方法を示す図である。
【図９】本発明の実施例5による基地局の構成図である。
【図１０】本発明の実施例6による基地局の構成図である。
【図１１】本発明の実施例7による通信システムの構成図である。
【発明を実施するための形態】
【００２６】
添付した図面及び以下の説明を参照することにより、本発明の前述及び他の特徴は明確になる。明細書及び図面では、本発明の特定の実施形態が具体的に開示されており、それは、本発明の原理を採用し得る一部の実施形態を示している。なお、本発明は、記載されている実施形態に限定されず、添付した特許請求の範囲に属する全ての変更、変形及び代替によるものも含む。
【００２７】
図1は、セルの分割を示す図である。図1に示すように、セル分割前に、セルAのみ領域をカバーし；そして、分割により得られた新セルBが既に出現しており且つ構成が完了したが、セルAのカバレッジがまだ縮小されておらず；その後、セルAが一部のユーザ装置のハンドオーバー処理を完成し、且つカバレッジが縮小された。これによって、セルAから二つのセルに分割し、新セルB及びカバレッジ縮小後のセルAは該領域をカバーするようになる。
【００２８】
しかし、セル分割中のシナリオを考慮すると、隣接セル（例えば、セルC）のユーザ装置は、カバレッジが未だ縮小されていないセルAにハンドオーバーする可能性がある。該ユーザ装置のためにハンドオーバー準備を完成した後に、セルAのカバレッジが既に縮小されているなら、該ユーザ装置はハンドオーバーを完成することができなくなる。このとき、該ユーザ装置がセルB中で再確立を行い、しかし、ハンドオーバー準備（Handover  Preparation）時に、ソース基地局は、該ユーザ装置がセルB中で再確立を行うための必要な情報を準備しなかったため、該ユーザ装置の再確立失敗を引き起こすおそれがある。
【００２９】
図2は、セルの併合を示す図である。図2に示すように、セル併合前に、セルA及びセルBが領域をカバーし；そして、セルAのカバレッジが拡大されているが、セルBが未だクローズされておらず；その後、セルBが、そのサービングするユーザ装置をセルA又は他のセルにハンドオーバーし、且つセルBがクローズされた。これによって、二つのセルA及びBを併合して一つのセルを成し、カバレッジが拡大された後のセルAは該領域をカバレッジするようになる。
【００３０】
同様に、セル併合中のシナリオを考慮すると、隣接セル（例えば、セルC）のユーザ装置は、まだクローズされていないセルBにハンドオーバーする可能性がある。該ユーザ装置のためにハンドオーバー準備を完成した後に、セルBが既にクローズされているなら、該ユーザ装置はハンドオーバーを完成することができなくなる。このとき、該ユーザ装置がセルA中で再確立を行い、しかし、ハンドオーバー準備時に、ソース基地局は、該ユーザ装置がセルA中で再確立を行うための必要な情報を準備しなかったため、該ユーザ装置の再確立失敗を引き起こすおそれがある。
【００３１】
なお、便宜のため、図1及び図2は、セルの分割及び併合のみのシナリオを示している。以下、図1及び図2に示すシナリオを例として、本発明について詳細に説明する。
【実施例１】
【００３２】
本発明の実施例では情報インタラクション方法が提供され、第一セルから少なくとも一つの第二セルを分割により構成するための第一基地局に用いられる。以下、第一基地局側から該方法について説明する。
【００３３】
図3は、本発明の実施例による情報インタラクション方法のフローチャートである。図3に示すように、該情報インタラクション方法は、次のステップを含む。
【００３４】
ステップ301：第一基地局が、第二基地局に、第二セルが構成されており且つ第一セルのカバレッジが間もなく縮小されること（即ち、第一セルのカバレッジが縮小される予定であること）を通知し；
ステップ302：第一基地局が、第二基地局の送信した、ユーザ装置を第一セルにハンドオーバーするためのハンドオーバー要求を受信し；
そのうち、該ハンドオーバー要求は、少なくとも第二セルの情報を含む再確立セルの情報を含む。
【００３５】
本実施例では、図1に示すようなシナリオにおいて、OAM又は基地局がセルの分割をトリガーし、第一基地局の下でのセルを第一セル（例えば、セルA）から少なくとも一つの第二セル（例えば、セルB）を分割により構成しても良い。以下、分割により一つの第二セルが構成される場合を例として説明を行うが、本発明は、これに限定されず、例えば、分割により複数の第二セルが構成されるシナリオに用いられても良い。
【００３６】
例えば、OAMは、第一基地局のロードが比較的重いことを発見した時に、該第一基地局がセルの分割を行うようにトリガーし；或いは、第一基地局のロードが所定の閾値を超えた時に、該第一基地局は、セルの分割をトリガーする。なお、具体的に如何にトリガーするか又はセルの分割を行うかは、従来技術を参照することができる。
【００３７】
本実施例では、第二セル（分割により構成された新セル）が既に出現しており且つ構成が完了した後に、第一基地局は、その隣接する基地局に、該第二セルの関連情報を通知することができる。第一基地局は、一つ又は複数の隣接する基地局（例えば、第二基地局）に通知メッセージを送信することができる。
【００３８】
具体的には、第一基地局は、第二基地局に、第二セルが既に構成されていることを通知し；通知用のシグナリングは、例えば、ServedCellsToAdd情報エレメント（IE、Information  Element）を含んでも良い。また、第一基地局は更に第二基地局に、第一セルのカバレッジが間もなく縮小されることを通知し；通知用のシグナリングは、例えば、ServedCellsToAddであっても良い。なお、本発明はこれに限定されず、例えば、他の情報エレメントを採用すること、又は、新情報エレメントを定義することにより、第一セルのカバレッジが間もなく縮小されることを指示しても良い。
【００３９】
なお、第二基地局に、第二セルが既に構成されていることを通知する、及び、第二基地局に、第一セルのカバレッジが間もなく縮小されることを通知する情報は、一つの通知メッセージに含まれて送信されても良く、また、異なる通知メッセージを採用してそれぞれ送信されても良く、本発明はこれに限定されない。
【００４０】
本実施例では、第二基地局の下でのユーザ装置が第一セルにハンドオーバーする必要がある時に、第二基地局は、該ユーザ装置のために、複数の再確立セルの情報を準備することができ、そのうち、該再確立セルの情報は、少なくとも、該第二セルの情報を含む。例えば、再確立セルの情報をAdditionalReestabInfo情報エレメントに含めても良い。
【００４１】
図4は、本発明の実施例による情報インタラクション方法の他のフローチャートである。図4に示すように、該情報インタラクション方法は、次のステップを含む。
【００４２】
ステップ401：第一基地局が、第二基地局に、第二セルが構成されており且つ第一セルのカバレッジが間もなく縮小されることを通知し；
ステップ402：第一基地局が、第二基地局の送信した、ユーザ装置を第一セルにハンドオーバーするためのハンドオーバー要求を受信し；
そのうち、該ハンドオーバー要求は、少なくとも第二セルの情報を含む再確立セルの情報を含む。
【００４３】
本実施例では、第二基地局は、第一基地局にHandover  Requestを送信することができ、該Handover  Requestは、AS-Context情報エレメントを含むHandoverPreparationInformation情報をキャリー（搬送）することができ；そのうち、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第二セルの情報を有する再確立セルの情報を含む。
【００４４】
具体的な実施に当たって、例えば、AdditionalReestabInfo情報エレメントの内容は、表1に示すようなものであっても良い。
【００４５】
【表１】
2016527820.tif 000003
なお、以上、AdditionalReestabInfo情報エレメントなどを例として説明したが、本発明はこれに限定されない。また、具体的に如何にハンドオーバーするか及び如何に再確立を行うかは、従来技術を参照することができる。
【００４６】
図4に示すように、該情報インタラクション方法は更に次のステップを含み、即ち、
ステップ403：第一基地局が、第二基地局に、第一セルのカバレッジの縮小が既に完成されていることを通知する。
【００４７】
本実施例では、第一基地局は、第二セルのカバレッジの下での、元々第一セルによりサービングされた全てのユーザ装置を第二セルにハンドオーバーすることができる。また、第一セルのカバレッジの縮小処理が完成された後に、第一基地局は、隣接基地局（例えば、第二基地局）に、該第一セルのカバレッジの縮小が既に完成されていることを通知することができる。
【００４８】
上述の実施例から分かるように、基地局が、隣接基地局に、分割されているセルのカバレッジが間もなく縮小されることを通知し；隣接基地局の下でのユーザ装置が分割されているセルにハンドオーバーする必要がある時に、ソース基地局が、ユーザ装置のために、少なくとも分割により構成されているセルの情報を含む再確立セルの情報を準備することができる。これによって、ハンドオーバー失敗後に再確立失敗を引き起こすことがない。
【００４９】
また、基地局は、隣接基地局に、分割されているセルのカバレッジが間もなく縮小されることを通知すること、及び、再確立セルの情報は、少なくとも分割により構成されているセルの情報を含むことにより、沢山のシグナリングが要らずに、再確立失敗を防止することができるだけではなく、シグナリングのオーバーヘッドを節約することもできる。
【実施例２】
【００５０】
本発明の実施例では情報インタラクション方法が提供され、第一基地局に隣接する第二基地局に用いられ、そのうち、該第一基地局は、第一セルから少なくとも一つの第二セルを分割により構成する。以下、第二基地局側から該方法について説明し、なお、実施例1と同じ内容は省略される。
【００５１】
図5は、本発明の実施例による情報インタラクション方法を示す図である。図5に示すように、該情報インタラクション方法は、次のステップを含む。
【００５２】
ステップ501：第二基地局が、第一基地局の送信した、第二セルが既に構成されており且つ第一セルのカバレッジが間もなく縮小されることを通知するためのメッセージを受信し；
ステップ502：第二基地局の下でのユーザ装置が第一セルにハンドオーバーする必要がある時に、第二基地局が該ユーザ装置のために再確立セルの情報を準備し；
ステップ503：第二基地局が第一基地局に、ユーザ装置を第一セルにハンドオーバーするためのハンドオーバー要求を送信し；
該ハンドオーバー要求は、少なくとも第二セルの情報を含む再確立セルの情報を含む。
【００５３】
本実施例では、第一基地局は、ServedCellsToAdd情報エレメントにより、第二セルが構成されていることを示しても良く；また、ServedCellsToAdd中のServedCellInformation情報エレメントにより、第一セルのカバレッジが間もなく縮小されることを示しても良い。
【００５４】
本実施例では、第二基地局の下でのユーザ装置は、第一基地局の下での第一セルへハンドオーバーを行っても良く、第二基地局により、ハンドオーバー要求（Handover  Request）を発起しても良い。なお、ハンドオーバーの具体的な内容は、従来技術を参照することができる。
【００５５】
また、該Handover  Requestは、AS-Context情報エレメントを含むHandoverPreparationInformation情報を搬送しても良く；そのうち、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第二セルの情報を有する再確立セルの情報を含む。
【００５６】
図5に示すように、該情報インタラクション方法は更に次のステップを含んでも良く、即ち、
ステップ504：第二基地局が、第一基地局の送信した、第一セルのカバレッジの縮小が既に完成されていることを通知するためのメッセージを受信する。
【００５７】
上述の実施例から分かるように、基地局が、隣接基地局に、分割にされているセルのカバレッジが間もなく縮小されることを通知し；隣接基地局の下でのユーザ装置が分割されているセルにハンドオーバーする必要がある時に、基地局が、ユーザ装置のために、少なくとも分割により構成されているセルの情報を含む再確立セルの情報を準備することができる。これによって、ハンドオーバー失敗後に再確立失敗を引き起こすことがない。
【００５８】
また、基地局は、隣接基地局に、分割されているセルのカバレッジが間もなく縮小されることを通知すること、及び、再確立セルの情報は、少なくとも分割により構成されているセルの情報を含むことにより、沢山のシグナリングが要らずに、再確立失敗を防止することができるだけではなく、シグナリングのオーバーヘッドを節約することもできる。
【実施例３】
【００５９】
本発明の実施例では情報インタラクション方法が提供され、少なくとも一つの第二セルを第一セルと併合する第一基地局に用いられる。以下、第一基地局側から本発明について説明する。
【００６０】
図6は、本発明の実施例による情報インタラクション方法のフローチャートである。図6に示すように、該情報インタラクション方法は、次のステップを含む。
【００６１】
ステップ601：第一基地局が、第二基地局に、第二セルが間もなくクローズされることを通知し；
ステップ602：第一基地局が、第二基地局の送信した、ユーザ装置を第二セルにハンドオーバーするためのハンドオーバー要求を受信し；
該ハンドオーバー要求は、少なくとも第一セルの情報を有する再確立セルの情報を含む。
【００６２】
本実施例では、図2に示すようなシナリオにおいて、OAM又は基地局により、セルの併合をトリガーし、第一基地局の下での少なくとも一つの第二セル（例えば、セルB）を一つの第一セル（例えば、セルA）と併合することができる。以下、一つの第二セルについての併合を例として説明するが、本発明はこれに限定されず、例えば、複数の第二セルについての併合を行うシナリオに用いることもできる。
【００６３】
例えば、OAMは、第一基地局のロードが比較的に軽いことを発見した時に、該第一基地局がセルの併合を行うようにトリガーし；又は、第一基地局のロードが所定の閾値よりも低い時に、第一基地局はセルの併合をトリガーする。なお、具体的に如何にトリガーするか又はセルの併合を行うかは、従来技術を参照することができる。
【００６４】
本実施例では、第一セルのカバレッジが拡大された後に、第一基地局は、第二基地局に、第二セルが間もなくクローズされることを通知しても良い。第一基地局は、ServedCellsToAdd中のServedCellInformation情報エレメントにより、第二セルが間もなくクローズされることを示しても良い。なお、本発明はこれに限定されず、例えば、他の情報エレメントを採用すること、又は、新情報エレメントを定義することにより、第二セルが間もなくクローズされることを指示しても良い。
【００６５】
本実施例では、第二基地局の下でのユーザ装置が第二セルにハンドオーバーする必要がある時に、第二基地局は、該ユーザ装置のために、複数の再確立セルの情報を準備しても良く、そのうち、再確立セルの情報は、少なくとも第一セルの情報を含む。また、第一基地局は更にAdditionalReestabInfo情報エレメントを用いて再確立セルの情報を含めても良い。AdditionalReestabInfo情報エレメントの具体的な内容については、実施例1中の表1を参照することができるが、本発明はこれに限定されない。
【００６６】
図7は、本発明の実施例による情報インタラクション方法の他のフローチャートである。図7に示すように、該情報インタラクション方法は、次のステップを含む。
【００６７】
ステップ701：第一基地局が、第二基地局に、第二セルが間もなくクローズされることを通知し；
ステップ702：第一基地局が、第二基地局の送信した、ユーザ装置を第二セルにハンドオーバーするためのハンドオーバー要求を受信し；
該ハンドオーバー要求は、少なくとも第一セルの情報を有する再確立セルの情報を含む。
【００６８】
本実施例では、第二基地局は、第一基地局にHandover  Requestを送信することができ、該Handover  Requestは、AS-Context情報エレメントを含むHandoverPreparationInformation情報を搬送することができ、そのうち、HandoverPreparationInformation情報は、AS-Context情報エレメントを含み、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第一セルの情報を有する再確立セルの情報を含む。
【００６９】
図7に示すように、該情報インタラクション方法は更に次のステップを含んでも良く、即ち、
ステップ703：第一基地局が、第二基地局に、第二セルが既にクローズされていることを通知する。
【００７０】
本実施例では、第一基地局は、第二セルの全てのユーザ装置を、第一セル又は他の隣接セルにハンドオーバーし；その後、該第二セルをクローズすることができる。第二セルがクローズされた後に、第一基地局は、隣接基地局（例えば、第二基地局）に、第二セルが既にクローズされていることを通知しても良い。
【００７１】
上述の実施例から分かるように、基地局が、隣接基地局に、併合されているセルが間もなくクローズされることを通知し；隣接基地局の下でのユーザ装置が併合されているセルにハンドオーバーする必要がある時に、基地局が、ユーザ装置のために、少なくとも併合後のセルの情報を有する再確立セルの情報を準備することができる。これによって、ハンドオーバー失敗後に再確立失敗を引き起こすことがない。
【００７２】
また、基地局は隣接基地局に、併合されているセルが間もなくクローズされることを通知すること、及び、再確立セルの情報は、少なくとも併合後のセルの情報を含むことにより、沢山のシグナリングが要らずに、再確立失敗を防止することができるだけではなく、シグナリングのオーバーヘッドを節約することもできる。
【実施例４】
【００７３】
本発明の実施例では情報インタラクション方法が提供され、第一基地局に隣接する第二基地局に用いられ、そのうち、該第一基地局は、少なくとも一つの第二セルを第一セルと併合する。以下、第二基地局側から該方法について説明し、なお、実施例3と同じ内容は省略される。
【００７４】
図8は、本発明の実施例による情報インタラクション方法を示す図である。図8に示すように、該情報インタラクション方法は、次のステップを含む。
【００７５】
ステップ801：第二基地局が、第一基地局の送信した、第二セルが間もなくクローズされることを通知するためのメッセージを受信し；
ステップ802：第二基地局の下でのユーザ装置が第二セルにハンドオーバーする必要がある時に、第二基地局が該ユーザ装置のために再確立セルの情報を準備し；
ステップ803：第二基地局が、第一基地局に、ユーザ装置を第二セルにハンドオーバーするためのハンドオーバー要求を送信し；
該ハンドオーバー要求は、少なくとも第一セルの情報を有する再確立セルの情報を含む。
【００７６】
本実施例では、第一基地局は、ServedCellsToAdd中のServedCellInformation情報エレメントにより、第二セルが間もなくクローズされることを指示しても良い。また、AdditionalReestabInfo情報エレメントにより、再確立セルの情報を含めても良い。
【００７７】
本実施例では、第二基地局の下でのユーザ装置は第一基地局の下での第二セルへハンドオーバーを行うことができ、第二基地局によりハンドオーバー要求（Handover  Request）を発起しても良い。なお、ハンドオーバーの具体的な内容については、従来技術を参照することができる。
【００７８】
また、該Handover  Requestは、AS-Context情報エレメントを含むHandoverPreparationInformation情報を搬送しても良く；そのうち、AS-Context情報エレメントは、ReestablishmentInfo情報エレメントを含み、Reestablishment Info情報エレメントは、AdditionalReestabInfo情報エレメントを含み、AdditionalReestabInfo情報エレメントは、少なくとも第一セルの情報を有する再確立セルの情報を含む。
【００７９】
図8に示すように、該情報インタラクション方法は更に次のステップを含んでも良く、即ち、
ステップ804：第二基地局が、第一基地局の送信した、第二セルが既にクローズされていることを通知するためのメッセージを受信する。
【００８０】
上述の実施例から分かるように、基地局が隣接基地局に、併合されているセルが間もなくクローズされることを通知し；隣接基地局の下でのユーザ装置が併合されているセルにハンドオーバーする必要がある時に、基地局がユーザ装置のために少なくとも併合後のセルの情報を含む再確立セルの情報を準備することができる。これによって、ハンドオーバー失敗後に再確立失敗を引き起こすことが無い。
【００８１】
また、基地局は隣接基地局に、併合されているセルが間もなくクローズされることを通知すること、及び、再確立セルの情報は少なくとも併合後のセルの情報を含むことにより、沢山のシグナリングが要らずに、再確立失敗を防止することができるだけではなく、シグナリングのオーバーヘッドを節約することもできる。
【実施例５】
【００８２】
本発明の実施例では基地局が提供され、実施例1又は実施例3の第一基地局に対応し、なお、実施例1又は3と同じ内容は省略される。
【００８３】
図9は、本発明の実施例による基地局の構成図である。図9に示すように、該基地局900は、メッセージ通知ユニット901及び要求受信ユニット902を含む。なお、基地局900の他の構成は従来技術を参照することができるため、図示されていない。
【００８４】
一つの実施方式では、基地局900は、第一セルから少なくとも一つの第二セルを分割により構成することができる。メッセージ通知ユニット901は、第二基地局に、第二セルが構成されており且つ第一セルのカバレッジが間もなく縮小されることを通知し；要求受信ユニット902は、第二基地局が送信した、ユーザ装置を第一セルにハンドオーバーするためのハンドオーバー要求を受信し；該ハンドオーバー要求は、少なくとも第二セルの情報を含む再確立セルの情報を含む。
【００８５】
本実施方式では、メッセージ通知ユニット901は更に、第二基地局に、第一セルのカバレッジの縮小が既に完成されていることを通知しても良い。
【００８６】
他の実施方式では、基地局900は、少なくとも一つの第二セルを第一セルと併合することができる。メッセージ通知ユニット901は、第二基地局に、第二セルが間もなくクローズされることを通知し；要求受信ユニット902は、第二基地局が送信した、ユーザ装置を第二セルにハンドオーバーするためのハンドオーバー要求を受信し；該ハンドオーバー要求は、少なくとも第一セルの情報を有する再確立セルの情報を含む。
【００８７】
具体的には、メッセージ通知ユニット901は、第一セルのカバレッジが拡大された後に、第二基地局に、第二セルが間もなくクローズされることを通知しても良い。メッセージ通知ユニット901は更に、第二基地局に、第二セルが既にクローズされていることを通知しても良い。
【００８８】
上述の実施例から分かるように、基地局が、隣接基地局に、分割されているセルのカバレッジが間もなく縮小されること、又は、併合されているセルが間もなくクローズされることを通知し；隣接基地局の下でのユーザ装置が、分割されているセル、又は、併合されているセルにハンドオーバーする必要がある時に、ユーザ装置のために、少なくとも分割により構成されているセルの情報又は併合により構成されているセルの情報を有する再確立セルの情報を準備することができる。これによって、ハンドオーバー失敗後に再確立失敗を引き起こすことが無いのみならず、シグナリングのオーバーヘッドを節約することもできる。
【実施例６】
【００８９】
本発明の実施例では基地局が提供され、実施例2又は実施例4の第二基地局に対応し、なお、実施例2又は4と同じ内容は省略される。
【００９０】
図10は、本発明の実施例による基地局の構成図である、図10に示すように、該基地局1000は、通知受信ユニット1001、再確立準備ユニット1002及び要求送信ユニット1003を含む。なお、基地局1000の他の構成については、従来技術を参照することができるため、図示されていない。
【００９１】
一つの実施方式では、基地局1000は第一基地局に隣接し、該第一基地局は第一セルから少なくとも一つの第二セルを分割により構成する。通知受信ユニット1001は、第一基地局が送信した、第二セルが構成されており且つ第一セルのカバレッジが間もなく縮小されることを通知するためのメッセージを受信し；再確立準備ユニット1002は、基地局の下でのユーザ装置が第一セルにハンドオーバーする必要がある時に、該ユーザ装置のために再確立セルの情報を準備し；要求送信ユニット1003は、第一基地局に、ユーザ装置を第一セルにハンドオーバーするためのハンドオーバー要求を送信し；該ハンドオーバー要求は、少なくとも第二セルの情報を含む再確立セルの情報を含む。
【００９２】
具体的には、通知受信ユニット1001は更に、第一基地局が送信した、第一セルのカバレッジの縮小が既に完成されていることを通知するためのメッセージを受信しても良い。
【００９３】
他の実施方式では、基地局1000は第一基地局に隣接し、該第一基地局は少なくとも一つの第二セルを第一セルと併合する。通知受信ユニット1001は、第一基地局が送信した、第二セルが間もなくクローズされることを通知するためのメッセージを受信し；再確立準備ユニット1002は、基地局の下でのユーザ装置が第二セルにハンドオーバーする必要がある時に、該ユーザ装置のために再確立セルの情報を準備し；要求送信ユニット1003は第一基地局に、ユーザ装置を第二セルにハンドオーバーするためのハンドオーバー要求を送信し；該ハンドオーバー要求は、少なくとも第一セルの情報を有する再確立セルの情報を含む。
【００９４】
具体的には、通知受信ユニット1001は更に、第一基地局が送信した、第二セルが既にクローズされていることを通知するためのメッセージを受信しても良い。
【００９５】
上述の実施例から分かるように、基地局が、隣接基地局に、分割されているセルのカバレッジが間もなく縮小されること、又は、併合されているセルが間もなくクローズされることを通知し；隣接基地局の下でのユーザ装置が、分割されているセル又は併合されているセルにハンドオーバーする必要がある時に、ユーザ装置のために少なくとも分割により構成されているセルの情報又は併合により構成されているセルの情報を含む再確立セルの情報を準備することができる。これによって、ハンドオーバー失敗後に再確立失敗を引き起こすことがないのみならず、シグナリングのオーバーヘッドを節約することもできる。
【実施例７】
【００９６】
本発明の実施例では通信システムが提供され、該通信システムは実施例5に記載の基地局及び実施例6に記載の基地局を含む。
【００９７】
図11は、本発明の実施例による通信システムの構成図である。図11に示すように、該通信システム1100は、第一基地局1101、第二基地局1102及びユーザ装置を含む。
【００９８】
一つの実施方式では、第一基地局1101は、第一セルから少なくとも一つの第二セルを分割により構成する。また、第一基地局1101は、第二基地局1102に、第二セルが構成されており且つ第一セルのカバレッジが間もなく縮小されることを通知し；第二基地局1102が送信した、ユーザ装置を第一セルにハンドオーバーするためのハンドオーバー要求を受信し；また、該ハンドオーバー要求は、少なくとも第二セルの情報を含む再確立セルの情報を含む。
【００９９】
第二基地局1102は、第一基地局1101に隣接し；第二基地局1102は、第一基地局1101が送信した、第二セルが構成されており且つ第一セルのカバレッジが間もなく縮小されることを通知するためのメッセージを受信し；第二基地局1102の下でのユーザ装置が第一セルにハンドオーバーする必要がある時に、該ユーザ装置のために再確立セルの情報を準備し；第一基地局1101に、該ユーザ装置を第一セルにハンドオーバーするためのハンドオーバー要求を送信し；また、該ハンドオーバー要求は、少なくとも第二セルの情報を含む再確立セルの情報を含む。
【０１００】
他の実施方式では、第一基地局1101は、少なくとも一つの第二セルを第一セルと併合する。また、第一基地局1101は、第二基地局1102に、第二セルが間もなくクローズされることを通知し；第二基地局1102が送信した、ユーザ装置を第二セルにハンドオーバーするためのハンドオーバー要求を受信し；また、該ハンドオーバー要求は、少なくとも第一セルの情報を有する再確立セルの情報を含む。
【０１０１】
第二基地局1102は、第一基地局1101に隣接し；第二基地局1102は、第一基地局1101が送信した、第二セルが間もなくクローズされることを通知するためのメッセージを受信し；第二基地局1102の下でのユーザ装置が第二セルにハンドオーバーする必要がある時に、該ユーザ装置のために再確立セルの情報を準備し；また、第一基地局1101に、該ユーザ装置を第二セルにハンドオーバーするためのハンドオーバー要求を送信し；また、該ハンドオーバー要求は、少なくとも第一セルの情報を有する再確立セルの情報を含む。
【０１０２】
本発明の実施例では更にコンピュータ可読プログラムが提供され、そのうち、基地局中で前記プログラムを実行する時に、前記プログラムは、コンピュータに、前記基地局中で上述の実施例1〜4に記載の情報インタラクション方法を実行させる。
【０１０３】
本発明の実施例では更にコンピュータ可読プログラムを記憶した記憶媒体が提供され、そのうち、前記コンピュータ可読プログラムは、コンピュータに、基地局中で上述の実施例1〜4に記載の情報インタラクション方法を実行させる。
【０１０４】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。本発明は更に、上述のプログラムを記憶した記憶媒体、例えば、ハードディスク、磁気ディスク、光ハードディスク、DVD、flashメモリなどにも関する。
【０１０５】
図面に記載の機能ブロックのうちの一つ又は複数及び／又はその機能ブロックの一つ又は複数の組み合わせは、本発明に記載の前記機能を実行するための汎用処理装置、デジタル信号処理装置（DSP）、専用集積回路（ASIC）、FPGA（field-programmable  gate  array）又は他のプログラマブル論理素子、論理ゲート又はトランジスタ論理素子、ハードウェアアセンブリ又は他の任意の適切な組み合わせとして実現されても良い。また、図面に記載の機能ブロックのうちの一つ又は複数及び／又はその機能ブロックの一つ又は複数の組み合わせは、計算装置の組み合わせ、例えば、DSPとマイクロプロセッサーとの組み合わせ、複数のマイクロプロセッサー、DSPと通信可能に接続される一つ又は複数のマイクロプロセッサー又は任意の他の構成として実現されても良い。
【０１０６】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016527820.tif 000004
【図２】
2016527820.tif 000005
【図３】
2016527820.tif 000006
【図４】
2016527820.tif 000007
【図５】
2016527820.tif 000008
【図６】
2016527820.tif 000009
【図７】
2016527820.tif 000010
【図８】
2016527820.tif 000011
【図９】
2016527820.tif 000012
【図１０】
2016527820.tif 000013
【図１１】
2016527820.tif 000014
【手続補正書】
【提出日】平成28年6月10日(2016.6.10)
【手続補正１】
【補正対象書類名】明細書
【補正対象項目名】全文
【補正方法】変更
【補正の内容】
【発明の詳細な説明】
【技術分野】
【０００１】
本発明は通信分野に関し、特に、セルの分割（Cell  Splitting）又はセルの併合（Cell  Merging）過程中の情報インタラクション方法、基地局及び通信システムに関する。
【背景技術】
【０００２】
今のところ、3GPP  Rel  12では、アクティブ・アンテナ・システム（AAS、Active  Antenna  System）が考慮される見込みがある。AASを構成する基地局は、アンテナ組のパラメータをアクティブに調整することで、セルのカバレッジをアクティブに変化させてサービスのニーズを満足することができる。
【０００３】
セルの分割（Cell  Splitting）は、AASがシステムの容量を向上させる目的を達成する手段の一つである。3GPPでは、考慮されるセルの分割とは、分割後のセルが異なる物理セルアイデンティティ（PCI、Physical  Cell  Identity）を採用することを指し、分割の時間粒度が比較的に大きく、例えば、一時間に一回変化し、又は、より長い時間に一回変化する。
【０００４】
一方、それに対応するのはセルの併合（Cell  Merging）である。セルの分割又はセルの併合は、運用・管理・保守（OAM、Operation  Administration  and  Maintenance）又はeNBによりトリガーすることができる。セルの分割又はセルの併合により、セルを柔軟に構成することで、複数種類のシナリオの下での異なるニーズを満足することができる。
【０００５】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【０００６】
しかし、発明者は、従来技術ではセルの分割又はセルの併合の過程で、隣接セルのユーザ装置が分割又は併合中のセルにハンドオーバーすることが出現した場合、セルの出現又は消失によってハンドオーバーが失敗し、その後の再確立は成功できないことがあるということを発見した。
【０００７】
本発明の実施例は、情報インタラクション方法、基地局及び通信システムを提供する。目的は、基地局が隣接基地局に、セルのカバレッジを変更する予定であることを通知することで、セルの分割又はセルの併合の過程で、ユーザ装置のハンドオーバーが失敗した後に再確立失敗を引き起こさないようにさせることにある。
【課題を解決するための手段】
【０００８】
本発明の実施例の一側面によれば、情報インタラクション方法が提供され、セルのカバレッジを変更するための第一基地局に用いられ、前記情報インタラクション方法は、
前記第一基地局は、第二基地局に、前記セルのカバレッジを変更する予定であることを通知することを含む。
【０００９】
本発明の実施例の他の側面によれば、情報インタラクション方法が提供され、セルのカバレッジを変更するための第一基地局に隣接する第二基地局に用いられ、前記情報インタラクション方法は、
前記第二基地局は、前記第一基地局が送信した、前記セルのカバレッジを変更する予定であることを受信することを含む。
【００１０】
本発明の実施例の他の側面によれば、セルのカバレッジを変更するための基地局が提供され、前記基地局は、
第二基地局に、前記セルのカバレッジを変更する予定であることを通知するためのメッセージ通知ユニットを含む。
【００１１】
本発明の実施例の他の側面によれば、セルのカバレッジを変更するための第一基地局に隣接する基地局が提供され、前記基地局は、
前記第一基地局が送信した、前記セルのカバレッジを変更する予定であることを通知するためのメッセージを受信するための通知受信ユニットを含む。
【００１２】
本発明の実施例の他の側面によれば、通信システムが提供され、前記通信システムは、
第一基地局と、前記第一基地局に隣接する第二基地局と、を含み、
前記第一基地局は、前記第二基地局に、セルのカバレッジを変更する予定であることを通知するように構成され、
前記基地局は、前記第一基地局が送信した、前記セルのカバレッジを変更する予定であることを通知するためのメッセージを受信するように構成される。
【００１３】
本発明の実施例の他の側面によれば、コンピュータ可読プログラムが提供され、そのうち、基地局中で前記プログラムを実行する時に、前記プログラムは、コンピュータに、前記基地局中で上述のような情報インタラクション方法を実行させる。
【００１４】
本発明の実施例の他の側面によれば、コンピュータ可読プログラムを記憶した記憶媒体が提供され、そのうち、前記コンピュータ可読プログラムは、コンピュータに、基地局中で上述のような情報インタラクション方法を実行させる。
【００１５】
本発明の実施例の有益な効果は、基地局が隣接基地局に、セルのカバレッジを変更する予定であることを通知することで、隣接基地局の下でのユーザ装置がセルにハンドオーバーする必要がある時に、該ユーザ装置のために、少なくとも変更後のセルの情報を有する再確立セルの情報を準備することができる。これによって、ハンドオーバー失敗後に再確立失敗を引き起こすことが無いだけではなく、シグナリングのオーバーヘッドを節約することもできる。
【００１６】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００１７】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１８】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００１９】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００２０】
また、本発明の１つの図面又は実施方式に記載の要素及び特徴は、１つ又は複数の他の図面又は実施方式に示す要素及び特徴と組み合わせることができる。さらに、図面では、類似する符号は幾つかの図面中の対応する要素を示し、また、複数の実施方式に使用される対応する要素を示すために用いることができる。
【図１】セルの分割を示す図である。
【図２】セルの併合を示す図である。
【図３】本発明の実施例1による情報インタラクション方法のフローチャートである。
【図４】本発明の実施例1による情報インタラクション方法の他のフローチャートである。
【図５】本発明の実施例2による情報インタラクション方法を示す図である。
【図６】本発明の実施例3による情報インタラクション方法のフローチャートである。
【図７】本発明の実施例3による情報インタラクション方法の他のフローチャートである。
【図８】本発明の実施例4による情報インタラクション方法を示す図である。
【図９】本発明の実施例5による基地局の構成図である。
【図１０】本発明の実施例6による基地局の構成図である。
【図１１】本発明の実施例7による通信システムの構成図である。
【発明を実施するための形態】
【００２１】
添付した図面及び以下の説明を参照することにより、本発明の前述及び他の特徴は明確になる。明細書及び図面では、本発明の特定の実施形態が具体的に開示されており、それは、本発明の原理を採用し得る一部の実施形態を示している。なお、本発明は、記載されている実施形態に限定されず、添付した特許請求の範囲に属する全ての変更、変形及び代替によるものも含む。
【００２２】
図1は、セルの分割を示す図である。図1に示すように、セル分割前に、セルAのみ領域をカバーし；そして、分割により得られた新セルBが既に出現しており且つ構成が完了したが、セルAのカバレッジがまだ縮小されておらず；その後、セルAが一部のユーザ装置のハンドオーバー処理を完成し、且つカバレッジが縮小された。これによって、セルAから二つのセルに分割し、新セルB及びカバレッジ縮小後のセルAは該領域をカバーするようになる。
【００２３】
しかし、セル分割中のシナリオを考慮すると、隣接セル（例えば、セルC）のユーザ装置は、カバレッジが未だ縮小されていないセルAにハンドオーバーする可能性がある。該ユーザ装置のためにハンドオーバー準備を完成した後に、セルAのカバレッジが既に縮小されているなら、該ユーザ装置はハンドオーバーを完成することができなくなる。このとき、該ユーザ装置がセルB中で再確立を行い、しかし、ハンドオーバー準備（Handover  Preparation）時に、ソース基地局は、該ユーザ装置がセルB中で再確立を行うための必要な情報を準備しなかったため、該ユーザ装置の再確立失敗を引き起こすおそれがある。
【００２４】
図2は、セルの併合を示す図である。図2に示すように、セル併合前に、セルA及びセルBが領域をカバーし；そして、セルAのカバレッジが拡大されているが、セルBが未だクローズされておらず；その後、セルBが、そのサービングするユーザ装置をセルA又は他のセルにハンドオーバーし、且つセルBがクローズされた。これによって、二つのセルA及びBを併合して一つのセルを成し、カバレッジが拡大された後のセルAは該領域をカバレッジするようになる。
【００２５】
同様に、セル併合中のシナリオを考慮すると、隣接セル（例えば、セルC）のユーザ装置は、まだクローズされていないセルBにハンドオーバーする可能性がある。該ユーザ装置のためにハンドオーバー準備を完成した後に、セルBが既にクローズされているなら、該ユーザ装置はハンドオーバーを完成することができなくなる。このとき、該ユーザ装置がセルA中で再確立を行い、しかし、ハンドオーバー準備時に、ソース基地局は、該ユーザ装置がセルA中で再確立を行うための必要な情報を準備しなかったため、該ユーザ装置の再確立失敗を引き起こすおそれがある。
【００２６】
なお、便宜のため、図1及び図2は、セルの分割及び併合のみのシナリオを示している。以下、図1及び図2に示すシナリオを例として、本発明について詳細に説明する。
【実施例１】
【００２７】
本発明の実施例では情報インタラクション方法が提供され、第一セルから少なくとも一つの第二セルを分割により構成するための第一基地局に用いられる。以下、第一基地局側から該方法について説明する。
【００２８】
図3は、本発明の実施例による情報インタラクション方法のフローチャートである。図3に示すように、該情報インタラクション方法は、次のステップを含む。
【００２９】
ステップ301：第一基地局が、第二基地局に、第二セルが構成されており且つ第一セルのカバレッジが間もなく縮小されること（即ち、第一セルのカバレッジが縮小される予定であること）を通知し；
ステップ302：第一基地局が、第二基地局の送信した、ユーザ装置を第一セルにハンドオーバーするためのハンドオーバー要求を受信し；
そのうち、該ハンドオーバー要求は、少なくとも第二セルの情報を含む再確立セルの情報を含む。
【００３０】
本実施例では、図1に示すようなシナリオにおいて、OAM又は基地局がセルの分割をトリガーし、第一基地局の下でのセルを第一セル（例えば、セルA）から少なくとも一つの第二セル（例えば、セルB）を分割により構成しても良い。以下、分割により一つの第二セルが構成される場合を例として説明を行うが、本発明は、これに限定されず、例えば、分割により複数の第二セルが構成されるシナリオに用いられても良い。
【００３１】
例えば、OAMは、第一基地局のロードが比較的重いことを発見した時に、該第一基地局がセルの分割を行うようにトリガーし；或いは、第一基地局のロードが所定の閾値を超えた時に、該第一基地局は、セルの分割をトリガーする。なお、具体的に如何にトリガーするか又はセルの分割を行うかは、従来技術を参照することができる。
【００３２】
本実施例では、第二セル（分割により構成された新セル）が既に出現しており且つ構成が完了した後に、第一基地局は、その隣接する基地局に、該第二セルの関連情報を通知することができる。第一基地局は、一つ又は複数の隣接する基地局（例えば、第二基地局）に通知メッセージを送信することができる。
【００３３】
具体的には、第一基地局は、第二基地局に、第二セルが既に構成されていることを通知し；通知用のシグナリングは、例えば、ServedCellsToAdd情報エレメント（IE、Information  Element）を含んでも良い。また、第一基地局は更に第二基地局に、第一セルのカバレッジが間もなく縮小されることを通知し；通知用のシグナリングは、例えば、ServedCellsToAddであっても良い。なお、本発明はこれに限定されず、例えば、他の情報エレメントを採用すること、又は、新情報エレメントを定義することにより、第一セルのカバレッジが間もなく縮小されることを指示しても良い。
【００３４】
なお、第二基地局に、第二セルが既に構成されていることを通知する、及び、第二基地局に、第一セルのカバレッジが間もなく縮小されることを通知する情報は、一つの通知メッセージに含まれて送信されても良く、また、異なる通知メッセージを採用してそれぞれ送信されても良く、本発明はこれに限定されない。
【００３５】
本実施例では、第二基地局の下でのユーザ装置が第一セルにハンドオーバーする必要がある時に、第二基地局は、該ユーザ装置のために、複数の再確立セルの情報を準備することができ、そのうち、該再確立セルの情報は、少なくとも、該第二セルの情報を含む。例えば、再確立セルの情報をAdditionalReestabInfo情報エレメントに含めても良い。
【００３６】
図4は、本発明の実施例による情報インタラクション方法の他のフローチャートである。図4に示すように、該情報インタラクション方法は、次のステップを含む。
【００３７】
ステップ401：第一基地局が、第二基地局に、第二セルが構成されており且つ第一セルのカバレッジが間もなく縮小されることを通知し；
ステップ402：第一基地局が、第二基地局の送信した、ユーザ装置を第一セルにハンドオーバーするためのハンドオーバー要求を受信し；
そのうち、該ハンドオーバー要求は、少なくとも第二セルの情報を含む再確立セルの情報を含む。
【００３８】
本実施例では、第二基地局は、第一基地局にHandover  Requestを送信することができ、該Handover  Requestは、AS-Context情報エレメントを含むHandoverPreparationInformation情報をキャリー（搬送）することができ；そのうち、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第二セルの情報を有する再確立セルの情報を含む。
【００３９】
具体的な実施に当たって、例えば、AdditionalReestabInfo情報エレメントの内容は、表1に示すようなものであっても良い。
【表１】
2016527820.tif 000015
【００４０】
なお、以上、AdditionalReestabInfo情報エレメントなどを例として説明したが、本発明はこれに限定されない。また、具体的に如何にハンドオーバーするか及び如何に再確立を行うかは、従来技術を参照することができる。
【００４１】
図4に示すように、該情報インタラクション方法は更に次のステップを含んでも良い、即ち、
ステップ403：第一基地局が、第二基地局に、第一セルのカバレッジの縮小が既に完成されていることを通知する。
【００４２】
本実施例では、第一基地局は、第二セルのカバレッジの下での、元々第一セルによりサービングされた全てのユーザ装置を第二セルにハンドオーバーすることができる。また、第一セルのカバレッジの縮小処理が完成された後に、第一基地局は、隣接基地局（例えば、第二基地局）に、該第一セルのカバレッジの縮小が既に完成されていることを通知することができる。
【００４３】
上述の実施例から分かるように、基地局が、隣接基地局に、分割されているセルのカバレッジが間もなく縮小されることを通知し；隣接基地局の下でのユーザ装置が分割されているセルにハンドオーバーする必要がある時に、ソース基地局が、ユーザ装置のために、少なくとも分割により構成されているセルの情報を含む再確立セルの情報を準備することができる。これによって、ハンドオーバー失敗後に再確立失敗を引き起こすことがない。
【００４４】
また、基地局は、隣接基地局に、分割されているセルのカバレッジが間もなく縮小されることを通知すること、及び、再確立セルの情報は、少なくとも分割により構成されているセルの情報を含むことにより、沢山のシグナリングが要らずに、再確立失敗を防止することができるだけではなく、シグナリングのオーバーヘッドを節約することもできる。
【実施例２】
【００４５】
本発明の実施例では情報インタラクション方法が提供され、第一基地局に隣接する第二基地局に用いられ、そのうち、該第一基地局は、第一セルから少なくとも一つの第二セルを分割により構成する。以下、第二基地局側から該方法について説明し、なお、実施例1と同じ内容は省略される。
【００４６】
図5は、本発明の実施例による情報インタラクション方法を示す図である。図5に示すように、該情報インタラクション方法は、次のステップを含む。
【００４７】
ステップ501：第二基地局が、第一基地局の送信した、第二セルが既に構成されており且つ第一セルのカバレッジが間もなく縮小されることを通知するためのメッセージを受信し；
ステップ502：第二基地局の下でのユーザ装置が第一セルにハンドオーバーする必要がある時に、第二基地局が該ユーザ装置のために再確立セルの情報を準備し；
ステップ503：第二基地局が第一基地局に、ユーザ装置を第一セルにハンドオーバーするためのハンドオーバー要求を送信し；
該ハンドオーバー要求は、少なくとも第二セルの情報を含む再確立セルの情報を含む。
【００４８】
本実施例では、第一基地局は、ServedCellsToAdd情報エレメントにより、第二セルが構成されていることを示しても良く；また、ServedCellsToAdd中のServedCellInformation情報エレメントにより、第一セルのカバレッジが間もなく縮小されることを示しても良い。
【００４９】
本実施例では、第二基地局の下でのユーザ装置は、第一基地局の下での第一セルへハンドオーバーを行っても良く、第二基地局により、ハンドオーバー要求（Handover  Request）を発起しても良い。なお、ハンドオーバーの具体的な内容は、従来技術を参照することができる。
【００５０】
また、該Handover  Requestは、AS-Context情報エレメントを含むHandoverPreparationInformation情報を搬送しても良く；そのうち、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第二セルの情報を有する再確立セルの情報を含む。
【００５１】
図5に示すように、該情報インタラクション方法は更に次のステップを含んでも良く、即ち、
ステップ504：第二基地局が、第一基地局の送信した、第一セルのカバレッジの縮小が既に完成されていることを通知するためのメッセージを受信する。
【００５２】
上述の実施例から分かるように、基地局が、隣接基地局に、分割にされているセルのカバレッジが間もなく縮小されることを通知し；隣接基地局の下でのユーザ装置が分割されているセルにハンドオーバーする必要がある時に、基地局が、ユーザ装置のために、少なくとも分割により構成されているセルの情報を含む再確立セルの情報を準備することができる。これによって、ハンドオーバー失敗後に再確立失敗を引き起こすことがない。
【００５３】
また、基地局は、隣接基地局に、分割されているセルのカバレッジが間もなく縮小されることを通知すること、及び、再確立セルの情報は、少なくとも分割により構成されているセルの情報を含むことにより、沢山のシグナリングが要らずに、再確立失敗を防止することができるだけではなく、シグナリングのオーバーヘッドを節約することもできる。
【実施例３】
【００５４】
本発明の実施例では情報インタラクション方法が提供され、少なくとも一つの第二セルを第一セルと併合する第一基地局に用いられる。以下、第一基地局側から本発明について説明する。
【００５５】
図6は、本発明の実施例による情報インタラクション方法のフローチャートである。図6に示すように、該情報インタラクション方法は、次のステップを含む。
【００５６】
ステップ601：第一基地局が、第二基地局に、第二セルが間もなくクローズされることを通知し；
ステップ602：第一基地局が、第二基地局の送信した、ユーザ装置を第二セルにハンドオーバーするためのハンドオーバー要求を受信し；
該ハンドオーバー要求は、少なくとも第一セルの情報を有する再確立セルの情報を含む。
【００５７】
本実施例では、図2に示すようなシナリオにおいて、OAM又は基地局により、セルの併合をトリガーし、第一基地局の下での少なくとも一つの第二セル（例えば、セルB）を一つの第一セル（例えば、セルA）と併合することができる。以下、一つの第二セルについての併合を例として説明するが、本発明はこれに限定されず、例えば、複数の第二セルについての併合を行うシナリオに用いることもできる。
【００５８】
例えば、OAMは、第一基地局のロードが比較的に軽いことを発見した時に、該第一基地局がセルの併合を行うようにトリガーし；又は、第一基地局のロードが所定の閾値よりも低い時に、第一基地局はセルの併合をトリガーする。なお、具体的に如何にトリガーするか又はセルの併合を行うかは、従来技術を参照することができる。
【００５９】
本実施例では、第一セルのカバレッジが拡大された後に、第一基地局は、第二基地局に、第二セルが間もなくクローズされることを通知しても良い。第一基地局は、ServedCellsToAdd中のServedCellInformation情報エレメントにより、第二セルが間もなくクローズされることを示しても良い。なお、本発明はこれに限定されず、例えば、他の情報エレメントを採用すること、又は、新情報エレメントを定義することにより、第二セルが間もなくクローズされることを指示しても良い。
【００６０】
本実施例では、第二基地局の下でのユーザ装置が第二セルにハンドオーバーする必要がある時に、第二基地局は、該ユーザ装置のために、複数の再確立セルの情報を準備しても良く、そのうち、再確立セルの情報は、少なくとも第一セルの情報を含む。また、第一基地局は更にAdditionalReestabInfo情報エレメントを用いて再確立セルの情報を含めても良い。AdditionalReestabInfo情報エレメントの具体的な内容については、実施例1中の表1を参照することができるが、本発明はこれに限定されない。
【００６１】
図7は、本発明の実施例による情報インタラクション方法の他のフローチャートである。図7に示すように、該情報インタラクション方法は、次のステップを含む。
【００６２】
ステップ701：第一基地局が、第二基地局に、第二セルが間もなくクローズされることを通知し；
ステップ702：第一基地局が、第二基地局の送信した、ユーザ装置を第二セルにハンドオーバーするためのハンドオーバー要求を受信し；
該ハンドオーバー要求は、少なくとも第一セルの情報を有する再確立セルの情報を含む。
【００６３】
本実施例では、第二基地局は、第一基地局にHandover  Requestを送信することができ、該Handover  Requestは、AS-Context情報エレメントを含むHandoverPreparationInformation情報を搬送することができ、そのうち、HandoverPreparationInformation情報は、AS-Context情報エレメントを含み、AS-Context情報エレメントは、ReestablishmentInfo情報エレメントを含み、ReestablishmentInfo情報エレメントは、AdditionalReestabInfo情報エレメントを含み、AdditionalReestabInfo情報エレメントは、少なくとも第一セルの情報を有する再確立セルの情報を含む。
【００６４】
図7に示すように、該情報インタラクション方法は更に次のステップを含んでも良く、即ち、
ステップ703：第一基地局が、第二基地局に、第二セルが既にクローズされていることを通知する。
【００６５】
本実施例では、第一基地局は、第二セルの全てのユーザ装置を、第一セル又は他の隣接セルにハンドオーバーし；その後、該第二セルをクローズすることができる。第二セルがクローズされた後に、第一基地局は、隣接基地局（例えば、第二基地局）に、第二セルが既にクローズされていることを通知しても良い。
【００６６】
上述の実施例から分かるように、基地局が、隣接基地局に、併合されているセルが間もなくクローズされることを通知し；隣接基地局の下でのユーザ装置が併合されているセルにハンドオーバーする必要がある時に、基地局が、ユーザ装置のために、少なくとも併合後のセルの情報を有する再確立セルの情報を準備することができる。これによって、ハンドオーバー失敗後に再確立失敗を引き起こすことがない。
【００６７】
また、基地局は隣接基地局に、併合されているセルが間もなくクローズされることを通知すること、及び、再確立セルの情報は、少なくとも併合後のセルの情報を含むことにより、沢山のシグナリングが要らずに、再確立失敗を防止することができるだけではなく、シグナリングのオーバーヘッドを節約することもできる。
【実施例４】
【００６８】
本発明の実施例では情報インタラクション方法が提供され、第一基地局に隣接する第二基地局に用いられ、そのうち、該第一基地局は、少なくとも一つの第二セルを第一セルと併合する。以下、第二基地局側から該方法について説明し、なお、実施例3と同じ内容は省略される。
【００６９】
図8は、本発明の実施例による情報インタラクション方法を示す図である。図8に示すように、該情報インタラクション方法は、次のステップを含む。
【００７０】
ステップ801：第二基地局が、第一基地局の送信した、第二セルが間もなくクローズされることを通知するためのメッセージを受信し；
ステップ802：第二基地局の下でのユーザ装置が第二セルにハンドオーバーする必要がある時に、第二基地局が該ユーザ装置のために再確立セルの情報を準備し；
ステップ803：第二基地局が、第一基地局に、ユーザ装置を第二セルにハンドオーバーするためのハンドオーバー要求を送信し；
該ハンドオーバー要求は、少なくとも第一セルの情報を有する再確立セルの情報を含む。
【００７１】
本実施例では、第一基地局は、ServedCellsToAdd中のServedCellInformation情報エレメントにより、第二セルが間もなくクローズされることを指示しても良い。また、AdditionalReestabInfo情報エレメントにより、再確立セルの情報を含めても良い。
【００７２】
本実施例では、第二基地局の下でのユーザ装置は第一基地局の下での第二セルへハンドオーバーを行うことができ、第二基地局によりハンドオーバー要求（Handover  Request）を発起しても良い。なお、ハンドオーバーの具体的な内容については、従来技術を参照することができる。
【００７３】
また、該Handover  Requestは、AS-Context情報エレメントを含むHandoverPreparationInformation情報を搬送しても良く；そのうち、AS-Context情報エレメントは、ReestablishmentInfo情報エレメントを含み、Reestablishment Info情報エレメントは、AdditionalReestabInfo情報エレメントを含み、AdditionalReestabInfo情報エレメントは、少なくとも第一セルの情報を有する再確立セルの情報を含む。
【００７４】
図8に示すように、該情報インタラクション方法は更に次のステップを含んでも良く、即ち、
ステップ804：第二基地局が、第一基地局の送信した、第二セルが既にクローズされていることを通知するためのメッセージを受信する。
【００７５】
上述の実施例から分かるように、基地局が隣接基地局に、併合されているセルが間もなくクローズされることを通知し；隣接基地局の下でのユーザ装置が併合されているセルにハンドオーバーする必要がある時に、基地局がユーザ装置のために少なくとも併合後のセルの情報を含む再確立セルの情報を準備することができる。これによって、ハンドオーバー失敗後に再確立失敗を引き起こすことが無い。
【００７６】
また、基地局は隣接基地局に、併合されているセルが間もなくクローズされることを通知すること、及び、再確立セルの情報は少なくとも併合後のセルの情報を含むことにより、沢山のシグナリングが要らずに、再確立失敗を防止することができるだけではなく、シグナリングのオーバーヘッドを節約することもできる。
【実施例５】
【００７７】
本発明の実施例では基地局が提供され、実施例1又は実施例3の第一基地局に対応し、なお、実施例1又は3と同じ内容は省略される。
【００７８】
図9は、本発明の実施例による基地局の構成図である。図9に示すように、該基地局900は、メッセージ通知ユニット901及び要求受信ユニット902を含む。なお、基地局900の他の構成は従来技術を参照することができるため、図示されていない。
【００７９】
一つの実施方式では、基地局900は、第一セルから少なくとも一つの第二セルを分割により構成することができる。メッセージ通知ユニット901は、第二基地局に、第二セルが構成されており且つ第一セルのカバレッジが間もなく縮小されることを通知し；要求受信ユニット902は、第二基地局が送信した、ユーザ装置を第一セルにハンドオーバーするためのハンドオーバー要求を受信し；該ハンドオーバー要求は、少なくとも第二セルの情報を含む再確立セルの情報を含む。
【００８０】
本実施方式では、メッセージ通知ユニット901は更に、第二基地局に、第一セルのカバレッジの縮小が既に完成されていることを通知しても良い。
【００８１】
他の実施方式では、基地局900は、少なくとも一つの第二セルを第一セルと併合することができる。メッセージ通知ユニット901は、第二基地局に、第二セルが間もなくクローズされることを通知し；要求受信ユニット902は、第二基地局が送信した、ユーザ装置を第二セルにハンドオーバーするためのハンドオーバー要求を受信し；該ハンドオーバー要求は、少なくとも第一セルの情報を有する再確立セルの情報を含む。
【００８２】
具体的には、メッセージ通知ユニット901は、第一セルのカバレッジが拡大された後に、第二基地局に、第二セルが間もなくクローズされることを通知しても良い。メッセージ通知ユニット901は更に、第二基地局に、第二セルが既にクローズされていることを通知しても良い。
【００８３】
上述の実施例から分かるように、基地局が、隣接基地局に、分割されているセルのカバレッジが間もなく縮小されること、又は、併合されているセルが間もなくクローズされることを通知し；隣接基地局の下でのユーザ装置が、分割されているセル、又は、併合されているセルにハンドオーバーする必要がある時に、ユーザ装置のために、少なくとも分割により構成されているセルの情報又は併合により構成されているセルの情報を有する再確立セルの情報を準備することができる。これによって、ハンドオーバー失敗後に再確立失敗を引き起こすことが無いのみならず、シグナリングのオーバーヘッドを節約することもできる。
【実施例６】
【００８４】
本発明の実施例では基地局が提供され、実施例2又は実施例4の第二基地局に対応し、なお、実施例2又は4と同じ内容は省略される。
【００８５】
図10は、本発明の実施例による基地局の構成図である、図10に示すように、該基地局1000は、通知受信ユニット1001、再確立準備ユニット1002及び要求送信ユニット1003を含む。なお、基地局1000の他の構成については、従来技術を参照することができるため、図示されていない。
【００８６】
一つの実施方式では、基地局1000は第一基地局に隣接し、該第一基地局は第一セルから少なくとも一つの第二セルを分割により構成する。通知受信ユニット1001は、第一基地局が送信した、第二セルが構成されており且つ第一セルのカバレッジが間もなく縮小されることを通知するためのメッセージを受信し；再確立準備ユニット1002は、基地局の下でのユーザ装置が第一セルにハンドオーバーする必要がある時に、該ユーザ装置のために再確立セルの情報を準備し；要求送信ユニット1003は、第一基地局に、ユーザ装置を第一セルにハンドオーバーするためのハンドオーバー要求を送信し；該ハンドオーバー要求は、少なくとも第二セルの情報を含む再確立セルの情報を含む。
【００８７】
具体的には、通知受信ユニット1001は更に、第一基地局が送信した、第一セルのカバレッジの縮小が既に完成されていることを通知するためのメッセージを受信しても良い。
【００８８】
他の実施方式では、基地局1000は第一基地局に隣接し、該第一基地局は少なくとも一つの第二セルを第一セルと併合する。通知受信ユニット1001は、第一基地局が送信した、第二セルが間もなくクローズされることを通知するためのメッセージを受信し；再確立準備ユニット1002は、基地局の下でのユーザ装置が第二セルにハンドオーバーする必要がある時に、該ユーザ装置のために再確立セルの情報を準備し；要求送信ユニット1003は第一基地局に、ユーザ装置を第二セルにハンドオーバーするためのハンドオーバー要求を送信し；該ハンドオーバー要求は、少なくとも第一セルの情報を有する再確立セルの情報を含む。
【００８９】
具体的には、通知受信ユニット1001は更に、第一基地局が送信した、第二セルが既にクローズされていることを通知するためのメッセージを受信しても良い。
【００９０】
上述の実施例から分かるように、基地局が、隣接基地局に、分割されているセルのカバレッジが間もなく縮小されること、又は、併合されているセルが間もなくクローズされることを通知し；隣接基地局の下でのユーザ装置が、分割されているセル又は併合されているセルにハンドオーバーする必要がある時に、ユーザ装置のために少なくとも分割により構成されているセルの情報又は併合により構成されているセルの情報を含む再確立セルの情報を準備することができる。これによって、ハンドオーバー失敗後に再確立失敗を引き起こすことがないのみならず、シグナリングのオーバーヘッドを節約することもできる。
【実施例７】
【００９１】
本発明の実施例では通信システムが提供され、該通信システムは実施例5に記載の基地局及び実施例6に記載の基地局を含む。
【００９２】
図11は、本発明の実施例による通信システムの構成図である。図11に示すように、該通信システム1100は、第一基地局1101、第二基地局1102及びユーザ装置を含む。
【００９３】
一つの実施方式では、第一基地局1101は、第一セルから少なくとも一つの第二セルを分割により構成する。また、第一基地局1101は、第二基地局1102に、第二セルが構成されており且つ第一セルのカバレッジが間もなく縮小されることを通知し；第二基地局1102が送信した、ユーザ装置を第一セルにハンドオーバーするためのハンドオーバー要求を受信し；また、該ハンドオーバー要求は、少なくとも第二セルの情報を含む再確立セルの情報を含む。
【００９４】
第二基地局1102は、第一基地局1101に隣接し；第二基地局1102は、第一基地局1101が送信した、第二セルが構成されており且つ第一セルのカバレッジが間もなく縮小されることを通知するためのメッセージを受信し；第二基地局1102の下でのユーザ装置が第一セルにハンドオーバーする必要がある時に、該ユーザ装置のために再確立セルの情報を準備し；第一基地局1101に、該ユーザ装置を第一セルにハンドオーバーするためのハンドオーバー要求を送信し；また、該ハンドオーバー要求は、少なくとも第二セルの情報を含む再確立セルの情報を含む。
【００９５】
他の実施方式では、第一基地局1101は、少なくとも一つの第二セルを第一セルと併合する。また、第一基地局1101は、第二基地局1102に、第二セルが間もなくクローズされることを通知し；第二基地局1102が送信した、ユーザ装置を第二セルにハンドオーバーするためのハンドオーバー要求を受信し；また、該ハンドオーバー要求は、少なくとも第一セルの情報を有する再確立セルの情報を含む。
【００９６】
第二基地局1102は、第一基地局1101に隣接し；第二基地局1102は、第一基地局1101が送信した、第二セルが間もなくクローズされることを通知するためのメッセージを受信し；第二基地局1102の下でのユーザ装置が第二セルにハンドオーバーする必要がある時に、該ユーザ装置のために再確立セルの情報を準備し；また、第一基地局1101に、該ユーザ装置を第二セルにハンドオーバーするためのハンドオーバー要求を送信し；また、該ハンドオーバー要求は、少なくとも第一セルの情報を有する再確立セルの情報を含む。
【００９７】
本発明の実施例では更にコンピュータ可読プログラムが提供され、そのうち、基地局中で前記プログラムを実行する時に、前記プログラムは、コンピュータに、前記基地局中で上述の実施例1〜4に記載の情報インタラクション方法を実行させる。
【００９８】
本発明の実施例では更にコンピュータ可読プログラムを記憶した記憶媒体が提供され、そのうち、前記コンピュータ可読プログラムは、コンピュータに、基地局中で上述の実施例1〜4に記載の情報インタラクション方法を実行させる。
【００９９】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。本発明は更に、上述のプログラムを記憶した記憶媒体、例えば、ハードディスク、磁気ディスク、光ハードディスク、DVD、flashメモリなどにも関する。
【０１００】
図面に記載の機能ブロックのうちの一つ又は複数及び／又はその機能ブロックの一つ又は複数の組み合わせは、本発明に記載の前記機能を実行するための汎用処理装置、デジタル信号処理装置（DSP）、専用集積回路（ASIC）、FPGA（field-programmable  gate  array）又は他のプログラマブル論理素子、論理ゲート又はトランジスタ論理素子、ハードウェアアセンブリ又は他の任意の適切な組み合わせとして実現されても良い。また、図面に記載の機能ブロックのうちの一つ又は複数及び／又はその機能ブロックの一つ又は複数の組み合わせは、計算装置の組み合わせ、例えば、DSPとマイクロプロセッサーとの組み合わせ、複数のマイクロプロセッサー、DSPと通信可能に接続される一つ又は複数のマイクロプロセッサー又は任意の他の構成として実現されても良い。
【０１０１】
以上、本発明の好ましい実施形態を説明したが、本発明はこのような実施形態に限定されず、本発明の趣旨を離脱しない限り、本発明に対するあらゆる変更は本発明の技術的範囲に属する。
【手続補正２】
【補正対象書類名】特許請求の範囲
【補正対象項目名】全文
【補正方法】変更
【補正の内容】
【特許請求の範囲】
【請求項１】
セルのカバレッジを変更するための第一基地局であって、
第二基地局に、前記セルのカバレッジを変更する予定であることを通知するためのメッセージ通知ユニットを含む、第一基地局。
【請求項２】
請求項１に記載の第一基地局であって、
前記セルのカバレッジを変更する予定であることは、第一セルから分割により少なくとも一つの第二セルを構成しており、前記第一セルのカバレッジを縮小する予定であることを含む、第一基地局。
【請求項３】
請求項２に記載の第一基地局であって、
前記第二基地局が送信した、ユーザ装置を前記第一セルにハンドオーバーするためのハンドオーバー要求を受信するための要求受信ユニットを更に含み、
前記ハンドオーバー要求は、少なくとも前記第二セルの情報を有する再確立セルの情報を含む、第一基地局。
【請求項４】
請求項３に記載の第一基地局であって、
前記メッセージ通知ユニットは、ServedCellsToAdd情報エレメントにより、前記第二セルが構成されていることを指示し、ServedCellsToAdd情報エレメント中のServedCellInformation情報エレメントにより、前記第一セルのカバレッジが縮小される予定であることを指示するように構成され、前記再確立セルの情報は、AdditionalReestabInfo情報エレメントに含まれている、第一基地局。
【請求項５】
請求項３に記載の第一基地局であって、
前記ハンドオーバー要求は、AS-Context情報エレメントを含むHandoverPreparationInformation情報を含み、前記AS-Context情報エレメントは、ReestablishmentInfo情報エレメントを含み、前記ReestablishmentInfo情報エレメントは、AdditionalReestabInfo情報エレメントを含み、前記AdditionalReestabInfo情報エレメントは、少なくとも前記第二セルの情報を有する前記再確立セルの情報を含む、第一基地局。
【請求項６】
請求項３に記載の第一基地局であって、
前記メッセージ通知ユニットは更に、前記第二基地局に、前記第一セルのカバレッジが縮小されていることを通知するように構成される、第一基地局。
【請求項７】
請求項１に記載の第一基地局であって、
前記セルのカバレッジを変更する予定であることは、少なくとも一つの第二セルを第一セルと併合しており、前記第一セルのカバレッジを拡大しており、前記第二セルをクローズする予定であることを含む、第一基地局。
【請求項８】
請求項７に記載の第一基地局であって、
前記第二基地局が送信した、ユーザ装置を前記第二セルにハンドオーバーするためのハンドオーバー要求を受信するための要求受信ユニットを更に含み、
前記ハンドオーバー要求は、少なくとも前記第一セルの情報を有する再確立セルの情報を含む、第一基地局。
【請求項９】
請求項８に記載の第一基地局であって、
前記メッセージ通知ユニットは、前記第一セルのカバレッジが拡大された後に、前記第二セルをクロースする予定であることを前記第二基地局に通知するように構成される、第一基地局。
【請求項１０】
請求項８に記載の第一基地局であって、
前記メッセージ通知ユニットは、ServedCellsToAdd情報エレメント中のServedCellInformation情報エレメントにより、前記第二セルがクローズされる予定であることを指示するように構成され、前記再確立セルの情報は、AdditionalReestabInfo情報エレメントに含まれている、第一基地局。
【請求項１１】
請求項８に記載の第一基地局であって、
前記ハンドオーバー要求は、AS-Context情報エレメントを含むHandoverPreparationInformation情報を含み、前記AS-Context情報エレメントは、ReestablishmentInfo情報エレメントを含み、前記ReestablishmentInfo情報エレメントは、AdditionalReestabInfo情報エレメントを含み、前記AdditionalReestabInfo情報エレメントは、少なくとも前記第一セルの情報を有する前記再確立セルの情報を含む、第一基地局。
【請求項１２】
請求項８に記載の第一基地局であって、
前記メッセージ通知ユニットは更に、前記第二基地局に、前記第二セルがクローズされていることを通知するように構成される、第一基地局。
【請求項１３】
セルのカバレッジを変更するための第一基地局に隣接する第二基地局であって、
前記第一基地局が送信した、前記セルのカバレッジを変更する予定であることを通知するためのメッセージを受信するための通知受信ユニットを含む、第二基地局。
【請求項１４】
請求項１３に記載の第二基地局であって、
前記セルのカバレッジを変更する予定であることは、第一セルから分割により少なくとも一つの第二セルを構成しており、前記第一セルのカバレッジを縮小する予定であることを含む、第二基地局。
【請求項１５】
請求項１４に記載の第二基地局であって、
前記第二基地局の下でのユーザ装置が前記第一セルにハンドオーバーする必要がある時に、前記ユーザ装置のために再確立セルの情報を準備するための再確立準備ユニット；及び
前記第一基地局に、前記ユーザ装置を前記第一セルにハンドオーバーするためのハンドオーバー要求を送信するための要求送信ユニットを更に含み、
前記ハンドオーバー要求は、少なくとも前記第二セルの情報を有する前記再確立セルの情報を含む、第二基地局。
【請求項１６】
請求項１４に記載の第二基地局であって、
前記通知受信ユニットは更に、前記第一基地局が送信した、前記第一セルのカバレッジが縮小されていることを通知するためのメッセージを受信するように構成される、第二基地局。
【請求項１７】
請求項１３に記載の第二基地局であって、
前記セルのカバレッジを変更する予定であることは、少なくとも一つの第二セルを第一セルと併合しており、前記第一セルのカバレッジを拡大しており、前記第二セルをクローズする予定であることを含む、第二基地局。
【請求項１８】
請求項１７に記載の第二基地局であって、
前記第二基地局の下でのユーザ装置が前記第二セルにハンドオーバーする必要がある時に、前記ユーザ装置のために再確立セルの情報を準備するための再確立準備ユニット；及び
前記第一基地局に、前記ユーザ装置を前記第二セルにハンドオーバーするためのハンドオーバー要求を送信するための要求送信ユニットを更に含み、
前記ハンドオーバー要求は、少なくとも前記第一セルの情報を有する前記再確立セルの情報を含む、第二基地局。
【請求項１９】
請求項１７に記載の第二基地局であって、
前記通知受信ユニットは更に、前記第一基地局が送信した、前記第二セルがクローズされていることを通知するためのメッセージを受信するように構成される、第二基地局。
【請求項２０】
請求項１に記載の第一基地局と、請求項１３に記載の第二基地局と、を含む通信システム。
【国際調査報告】
2016527820.tif 000016
2016527820.tif 000017
2016527820.tif 000018
2016527820.tif 000019